(57)【要約】【課題】ユーザが携帯端末で行っていた処理を、迅速に開始することのできる再生装置を提供する。【解決手段】携帯端末と無線接続可能な再生装置であって、再生装置と携帯端末との無線接続が確立されていない状態から確立されている状態への遷移である第１遷移を検出する検出部１２２と、検出部１２２が第１遷移を検出した場合に、待機状態にある再生装置を動作状態に移行させる状態管理部１２８と、検出部１２２が第１遷移を検出した場合に、携帯端末で実行中または過去に実行された処理に関連する情報である関連情報を携帯端末から受信する関連情報受信部１２４と、関連情報受信部１２４が受信した関連情報に従って、携帯端末で実行中または過去に実行された処理を継続するための処理を再生装置で実行する実行制御部１２６とを備える。【選択図】図２
2014123918.tif 000002
【特許請求の範囲】
【請求項１】
携帯端末と無線接続可能な再生装置であって、
前記再生装置と前記携帯端末との無線接続が確立されていない状態から確立されている状態への遷移である第１遷移を検出する検出部と、
前記検出部が前記第１遷移を検出した場合に、待機状態にある前記再生装置を動作状態に移行させる状態管理部と、
前記検出部が前記第１遷移を検出した場合に、前記携帯端末で実行中または過去に実行された処理に関連する情報である関連情報を前記携帯端末から受信する関連情報受信部と、
前記関連情報受信部が受信した前記関連情報に従って、前記携帯端末で実行中または過去に実行された処理を継続するための処理を前記再生装置で実行する実行制御部と
を備える再生装置。
【請求項２】
前記関連情報受信部は、前記検出部が前記第１遷移を検出した場合に、前記関連情報として、前記携帯端末で受信中のテレビ放送波のチャンネルの情報を前記携帯端末から受信し、
前記実行制御部は、前記関連情報受信部が受信した前記関連情報に示されるチャンネルのテレビ放送波を受信する
請求項１に記載の再生装置。
【請求項３】
前記関連情報受信部は、前記検出部が前記第１遷移を検出した場合に、前記関連情報として、前記携帯端末で利用中のウェブサービスを特定するための情報を前記携帯端末から受信し、
前記実行制御部は、前記関連情報受信部が受信した前記関連情報により特定される前記ウェブサービスを提供するための処理を実行する
請求項１に記載の再生装置。
【請求項４】
前記関連情報受信部は、前記検出部が前記第１遷移を検出した場合に、前記関連情報として、前記携帯端末で再生中のコンテンツを特定するための情報を前記携帯端末から受信し、
前記実行制御部は、前記関連情報受信部が受信した前記関連情報により特定される前記コンテンツを前記携帯端末から受信し、受信した前記コンテンツを再生する
請求項１に記載の再生装置。
【請求項５】
前記関連情報受信部は、前記検出部が前記第１遷移を検出した場合に、前記関連情報として、前記携帯端末で電子メールクライアントが実行中であることを示す情報を前記携帯端末から受信し、
前記実行制御部は、前記関連情報受信部が受信した前記関連情報により前記携帯端末で前記電子メールクライアントが実行中であることを検知した場合には、前記電子メールクライアントの画面を前記再生装置に表示させる
請求項１に記載の再生装置。
【請求項６】
前記関連情報受信部は、前記検出部が前記第１遷移を検出した場合に、前記関連情報として、前記携帯端末で視聴予約または録画予約された番組を特定するための情報を前記携帯端末から受信し、
前記実行制御部は、前記関連情報受信部が受信した前記関連情報により特定される前記番組の視聴予約または録画予約を実行する
請求項１に記載の再生装置。
【請求項７】
前記検出部は、さらに、前記再生装置と前記携帯端末との無線接続が確立されている状態から確立されていない状態への遷移である第２遷移を検出し、
前記状態管理部は、さらに、前記検出部が前記第２遷移を検出した場合に、動作状態にある前記再生装置を待機状態に移行させる
請求項１〜６のいずれか１項に記載の再生装置。
【請求項８】
前記状態管理部は、さらに、前記再生装置に予め識別子が登録されている全ての携帯端末について前記検出部が前記第２遷移を検出した場合に、動作状態にある前記再生装置を待機状態に移行させる
請求項７に記載の再生装置。
【請求項９】
前記再生装置と前記携帯端末とは、アクセスポイントを介さずに接続可能な通信プロトコルに従い無線接続可能である
請求項１〜８のいずれか１項に記載の再生装置。
【請求項１０】
再生装置と、
前記再生装置と無線接続可能な携帯端末とを備え、
前記再生装置は、
前記再生装置と前記携帯端末との無線接続が確立されていない状態から確立されている状態への遷移である第１遷移を検出する検出部と、
前記検出部が前記第１遷移を検出した場合に、待機状態にある前記再生装置を動作状態に移行させる状態管理部と、
前記検出部が前記第１遷移を検出した場合に、前記携帯端末で実行中または過去に実行された処理に関連する情報である関連情報の送信要求を前記携帯端末に送信し、前記関連情報を前記携帯端末から受信する関連情報受信部と、
前記関連情報受信部が受信した前記関連情報に従って、前記携帯端末で実行中または過去に実行された処理を継続するための処理を前記再生装置で実行する実行制御部と
を備え、
前記携帯端末は、
前記再生装置から前記送信要求を受信し、受信した前記送信要求に応答して、前記関連情報を前記再生装置に送信する関連情報送信部
を備える
再生システム。
【請求項１１】
前記携帯端末の前記関連情報送信部は、前記再生装置から前記送信要求を受信し、前記携帯端末のタッチパネルの操作により受け付けられた視聴対象または予約対象の番組を特定するための情報を、受信した前記送信要求に応答して前記再生装置に送信し、
前記再生装置の前記関連情報受信部は、前記検出部が前記第１遷移を検出した場合に、前記送信要求を前記携帯端末に送信し、前記関連情報として、前記携帯端末で視聴予約または録画予約された番組を特定するための情報を前記携帯端末から受信し、
前記再生装置の前記実行制御部は、前記関連情報受信部が受信した前記関連情報により特定される前記番組の視聴予約または録画予約を実行する
請求項１０に記載の再生システム。
【請求項１２】
携帯端末と無線接続可能な再生装置による処理実行制御方法であって、
前記再生装置と前記携帯端末との無線接続が確立されていない状態から確立されている状態への遷移である第１遷移を検出し、
前記第１遷移が検出された場合に、待機状態にある前記再生装置を動作状態に移行させ、前記携帯端末で実行中または過去に実行された処理に関連する情報である関連情報を前記携帯端末から受信し、
受信した前記関連情報に従って、前記携帯端末で実行中または過去に実行された処理を継続するための処理を前記再生装置で実行する
処理実行制御方法。
【請求項１３】
請求項１２に記載の処理実行制御方法を再生装置が備えるプロセッサに実行させるためのプログラム。
【発明の詳細な説明】
【技術分野】
【０００１】
本発明は、携帯端末と無線接続可能な再生装置に関する。
【背景技術】
【０００２】
従来、互いに無線通信可能な携帯端末とテレビとの無線接続状態を監視し、無線接続状態に応じてテレビの動作モードを変更するシステムが提案されている（例えば、特許文献１参照。）このシステムでは、例えば、両者の無線接続が確立されなくなった場合に、テレビを非動作モードに移行させる。これにより、携帯端末のユーザがテレビから離れた場合に、自動的にテレビの電源をオフさせることができる。
【先行技術文献】
【特許文献】
【０００３】
【特許文献１】特開２００３−２８４１６２号公報
【発明の概要】
【発明が解決しようとする課題】
【０００４】
しかしながら、従来のシステムにおいては、電源のオンオフ制御しか行うことができない。このため、例えば、ユーザが携帯端末で視聴していたテレビ番組を、帰宅後引き続きテレビで視聴するためには、そのテレビ番組にチャンネルを合わせるためにテレビのリモコンを操作しなければならない。このように、ユーザが携帯端末で行っていた処理をテレビなどの再生装置に行わせるためには、ユーザがリモコンなどを操作することにより再生装置を操作しなければならず、ユーザの操作性が悪い。このため、上記処理を迅速に開始することができないという課題がある。
【０００５】
本発明は、上述の課題を解決するためになされたものであり、ユーザが携帯端末で行っていた処理を、迅速に開始することのできる再生装置を提供することを目的とする。
【課題を解決するための手段】
【０００６】
上記目的を達成するために、本発明の一態様に係る再生装置は、携帯端末と無線接続可能な再生装置であって、前記再生装置と前記携帯端末との無線接続が確立されていない状態から確立されている状態への遷移である第１遷移を検出する検出部と、前記検出部が前記第１遷移を検出した場合に、待機状態にある前記再生装置を動作状態に移行させる状態管理部と、前記検出部が前記第１遷移を検出した場合に、前記携帯端末で実行中または過去に実行された処理に関連する情報である関連情報を前記携帯端末から受信する関連情報受信部と、前記関連情報受信部が受信した前記関連情報に従って、前記携帯端末で実行中または過去に実行された処理を継続するための処理を前記再生装置で実行する実行制御部とを備える。
【０００７】
これによると、携帯端末を持ったユーザが再生装置に近付くことで再生装置と携帯端末との無線接続が確立されると、再生装置の電源がオンするなどして、再生装置が動作状態に移行する。また、実行制御部は、上記関連情報を携帯端末から受信し、携帯端末で実行中または実行された処理を継続するための処理を実行する。このため、ユーザが携帯端末で行っていた処理を、迅速に開始することができる。
【０００８】
例えば、前記関連情報受信部は、前記検出部が前記第１遷移を検出した場合に、前記関連情報として、前記携帯端末で受信中のテレビ放送波のチャンネルの情報を前記携帯端末から受信し、前記実行制御部は、前記関連情報受信部が受信した前記関連情報に示されるチャンネルのテレビ放送波を受信しても良い。
【０００９】
これによると、ユーザは、携帯端末で再生中のテレビ放送と同じテレビ放送を引き続き再生装置で視聴することができる。
【００１０】
また、前記関連情報受信部は、前記検出部が前記第１遷移を検出した場合に、前記関連情報として、前記携帯端末で利用中のウェブサービスを特定するための情報を前記携帯端末から受信し、前記実行制御部は、前記関連情報受信部が受信した前記関連情報により特定される前記ウェブサービスを提供するための処理を実行しても良い。
【００１１】
これによると、ユーザは、携帯端末で利用中のウェブサービスと同じウェブサービスを再生装置において引き続き利用することができる。例えば、インターネット上にアップロードされた動画コンテンツを提供するウェブサービスを、再生装置において引き続き利用することができる。これにより、携帯端末で動画コンテンツを再生している途中であったとしても、ユーザは、その続きから動画コンテンツを視聴することができる。
【００１２】
また、前記関連情報受信部は、前記検出部が前記第１遷移を検出した場合に、前記関連情報として、前記携帯端末で再生中のコンテンツを特定するための情報を前記携帯端末から受信し、前記実行制御部は、前記関連情報受信部が受信した前記関連情報により特定される前記コンテンツを前記携帯端末から受信し、受信した前記コンテンツを再生しても良い。
【００１３】
これによると、ユーザは、携帯端末で視聴していたコンテンツを、引き続き再生装置で視聴することができる。
【００１４】
また、前記関連情報受信部は、前記検出部が前記第１遷移を検出した場合に、前記関連情報として、前記携帯端末で電子メールクライアントが実行中であることを示す情報を前記携帯端末から受信し、前記実行制御部は、前記関連情報受信部が受信した前記関連情報により前記携帯端末で前記電子メールクライアントが実行中であることを検知した場合には、前記電子メールクライアントの画面を前記再生装置に表示させても良い。
【００１５】
これによると、ユーザが、携帯端末を利用して閲覧または作成していた電子メールの画面が再生装置に表示される。このため、ユーザは、再生装置の画面を見ながら、携帯端末を引き続き操作して、電子メールの閲覧または作成を行うことができる。
【００１６】
また、前記関連情報受信部は、前記検出部が前記第１遷移を検出した場合に、前記関連情報として、前記携帯端末で視聴予約または録画予約された番組を特定するための情報を前記携帯端末から受信し、前記実行制御部は、前記関連情報受信部が受信した前記関連情報により特定される前記番組の視聴予約または録画予約を実行しても良い。
【００１７】
これによると、ユーザが外出先などで携帯端末を利用して視聴予約または録画予約を行った番組の情報を、ユーザの帰宅と共に再生装置に送信することができる。このため、ユーザが行った使用予約または録画予約を再生装置に引き継ぐことができる。また、ユーザが外出先で行った録画予約などが自動で反映されるため、録画のし忘れなどを防ぐことができる。
【００１８】
また、前記検出部は、さらに、前記再生装置と前記携帯端末との無線接続が確立されている状態から確立されていない状態への遷移である第２遷移を検出し、前記状態管理部は、さらに、前記検出部が前記第２遷移を検出した場合に、動作状態にある前記再生装置を待機状態に移行させても良い。
【００１９】
これによると、携帯端末を持ったユーザが再生装置から遠ざかった場合の再生装置の電源の消し忘れを防ぐことができる。
【００２０】
また、前記状態管理部は、さらに、前記再生装置に予め識別子が登録されている全ての携帯端末について前記検出部が前記第２遷移を検出した場合に、動作状態にある前記再生装置を待機状態に移行させても良い。
【００２１】
これによると、複数のユーザが再生装置を利用しているときに、そのうちの一人が再生装置から遠ざかったとしても、再生装置の電源が誤ってオフするのを防ぐことができる。
【００２２】
また、前記再生装置と前記携帯端末とは、アクセスポイントを介さずに接続可能な通信プロトコルに従い無線接続可能であっても良い。
【００２３】
これによると、表示装置がアクセスポイントに接続されていなくても、Ｗｉ−Ｆｉ  Ｄｉｒｅｃｔ（登録商標）などの無線通信技術を利用して、容易に携帯端末から再生装置へ処理の引き継ぎを行うことができる。
【００２４】
本発明の他の一態様に係る再生システムは、再生装置と、前記再生装置と無線接続可能な携帯端末とを備え、前記再生装置は、前記再生装置と前記携帯端末との無線接続が確立されていない状態から確立されている状態への遷移である第１遷移を検出する検出部と、前記検出部が前記第１遷移を検出した場合に、待機状態にある前記再生装置を動作状態に移行させる状態管理部と、前記検出部が前記第１遷移を検出した場合に、前記携帯端末で実行中または過去に実行された処理に関連する情報である関連情報の送信要求を前記携帯端末に送信し、前記関連情報を前記携帯端末から受信する関連情報受信部と、前記関連情報受信部が受信した前記関連情報に従って、前記携帯端末で実行中または過去に実行された処理を継続するための処理を前記再生装置で実行する実行制御部とを備え、前記携帯端末は、前記再生装置から前記送信要求を受信し、受信した前記送信要求に応答して、前記関連情報を前記再生装置に送信する関連情報送信部を備える。
【００２５】
これによると、携帯端末を持ったユーザが再生装置に近付くことで再生装置と携帯端末との無線接続が確立されると、再生装置の電源がオンするなどして、再生装置が動作状態に移行する。また、実行制御部は、上記関連情報を携帯端末から受信し、携帯端末で実行中または実行された処理を継続するための処理を実行する。このため、ユーザが携帯端末で行っていた処理を、迅速に開始することができる。
【００２６】
また、前記携帯端末の前記関連情報送信部は、前記再生装置から前記送信要求を受信し、前記携帯端末のタッチパネルの操作により受け付けられた視聴対象または予約対象の番組を特定するための情報を、受信した前記送信要求に応答して前記再生装置に送信し、前記再生装置の前記関連情報受信部は、前記検出部が前記第１遷移を検出した場合に、前記送信要求を前記携帯端末に送信し、前記関連情報として、前記携帯端末で視聴予約または録画予約された番組を特定するための情報を前記携帯端末から受信し、前記再生装置の前記実行制御部は、前記関連情報受信部が受信した前記関連情報により特定される前記番組の視聴予約または録画予約を実行しても良い。
【００２７】
これによると、ユーザが外出先などで携帯端末のタッチパネルを利用して視聴予約または録画予約を行った番組の情報を、ユーザの帰宅と共に再生装置に送信することができる。このため、ユーザが行った使用予約または録画予約を再生装置に引き継ぐことができる。また、ユーザが外出先で行った録画予約などが自動で反映されるため、録画のし忘れなどを防ぐことができる。また、タッチパネルを利用して予約ができるため、ユーザは、簡易な操作で予約を行うことができる。
【００２８】
なお、本発明は、このような特徴的な処理部を備える再生装置として実現することができるだけでなく、再生装置に含まれる特徴的な処理部が実行する処理をステップとする処理実行制御方法として実現することができる。また、再生装置に含まれる特徴的な処理部としてコンピュータを機能させるためのプログラムまたは処理実行制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２９】
本発明によると、ユーザが携帯端末で行っていた処理を、迅速に開始することができる。
【図面の簡単な説明】
【００３０】
【図１】図１は、本発明の実施の形態に係るテレビの外観図である。
【図２】図２は、本発明の実施の形態に係るテレビの構成を示すブロック図である。
【図３】図３は、記憶部に記憶されているＭＡＣアドレスの一例を示す図である。
【図４】図４は、本発明の実施の形態に係るスマートフォンの外観図である。
【図５】図５は、本発明の実施の形態に係るスマートフォンの構成を示すブロック図である。
【図６】図６は、テレビおよびスマートフォンの実行する処理のフローチャートである。
【図７】図７は、スマートフォンを持ったユーザがテレビから遠ざかった場合のテレビの動作を説明するための図である。
【図８】図８は、スマートフォンでテレビを視聴していたユーザがテレビに近付いた場合のテレビの動作を説明するための図である。
【図９】図９は、スマートフォンで実行中または過去に実行されていた処理を継続するための処理（図６（ａ）のＳ１６）の詳細なフローチャートである。
【図１０】図１０は、スマートフォンで実行中または過去に実行されていた処理をテレビに通知するための処理（図６（ｂ）のＳ３０）の詳細なフローチャートである。
【図１１】図１１は、関連情報のフォーマット例を示す図である。
【図１２】図１２は、電子メールクライアントを実行しているスマートフォンを持ったユーザがテレビに近付いた場合のテレビの動作を説明するための図である。
【図１３】図１３は、スマートフォンのタッチパネルを利用したテレビ番組の視聴予約または録画予約を説明するための図である。
【図１４】図１４は、録画機能を備えていないテレビによる、レコーダへの録画予約の指示について説明するための図である。
【図１５】図１５は、テレビの電源制御の誤動作を防ぐ方法について説明するための図である。
【発明を実施するための形態】
【００３１】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３２】
図１は、本発明の実施の形態に係るテレビ１００の外観図である。図２は、本発明の実施の形態に係るテレビ１００の構成を示すブロック図である。
【００３３】
テレビ１００は、再生装置の一例であり、通信Ｉ／Ｆ（インタフェース）部１０２と、ＣＰＵ（Ｃｅｎｔｒａｌ  Ｐｒｏｃｅｓｓｉｎｇ  Ｕｎｉｔ）１０４と、電源部１０６と、記憶部１０８と、映像音声処理部１１０と、ディスプレイ１１２と、スピーカ１１４とを備える。
【００３４】
通信Ｉ／Ｆ部１０２は、外部の装置と有線または無線で通信するための処理部であり、例えば、ネットワークアダプタ、Ｗｉ−Ｆｉ（登録商標）アダプタなどにより構成される。例えば、通信Ｉ／Ｆ部１０２は、ネットワークケーブルを介してインターネット１５０に接続されることで、インターネット１５０に接続された他のコンピュータと通信を行う。また、通信Ｉ／Ｆ部１０２は、Ｗｉ−Ｆｉ  Ｄｉｒｅｃｔ（登録商標）に従った無線通信により、後述するスマートフォンと接続され、スマートフォンと通信を行う。
【００３５】
ＣＰＵ１０４は、テレビ１００の全体的な制御を行う。例えば、ＣＰＵ１０４は、電源部１０６の制御を行ったり、映像音声処理部１１０の制御を行ったりする。ＣＰＵ１０４の詳細な構成については、後述する。
【００３６】
電源部１０６は、テレビ１００の各部に電力を供給する。テレビ１００は、主電源がＯＦＦにされた「停止状態」と、主電源はＯＮであるが、映像音声処理部１１０が動作していない「待機状態」と、映像音声処理部１１０が動作している「動作状態」のいずれかの状態を取る。待機状態と動作状態とでは主電源はＯＮになっている。待機状態と動作状態との切り替えは、テレビ１００のリモコンまたはテレビ１００に設けられた電源スイッチにより行われる。
【００３７】
記憶部１０８は、予めユーザにより登録された、スマートフォンのＭＡＣアドレスを記憶している。記憶部１０８は、例えば、フラッシュメモリなどにより構成される。例えば、記憶部１０８には、図３に示すような２台のスマートフォン２００のＭＡＣアドレス「ＡＡ−ＢＢ−ＣＣ−ＤＤ−ＥＥ−ＦＦ」および「ＡＢ−ＣＤ−ＥＦ−ＧＨ−ＩＪ−ＫＬ」が登録されているものとする。
【００３８】
映像音声処理部１１０は、チューナが受信したテレビ放送波に含まれる映像信号および音声信号をデコードして、ディスプレイ１１２およびスピーカ１１４にそれぞれ出力する。また、映像音声処理部１１０は、ＣＰＵ１０４において実行された各種処理の結果をディスプレイ１１２またはスピーカ１１４に出力する。
【００３９】
ディスプレイ１１２は、映像音声処理部１１０でデコードされた映像信号を表示する。
【００４０】
スピーカ１１４は、映像音声処理部１１０でデコードされた音声信号を出力する。
【００４１】
ＣＰＵ１０４は、ＣＰＵ１０４上でプログラムが実行されることにより実現される機能的な構成として、検出部１２２と、関連情報受信部１２４と、実行制御部１２６と、状態管理部１２８とを備える。
【００４２】
検出部１２２は、テレビ１００と、スマートフォンとの無線接続が確立されていない状態から確立されている状態への遷移である第１遷移を検出する。
【００４３】
状態管理部１２８は、検出部１２２が前記第１遷移を検出した場合に、電源部１０６に指示を送信することにより、待機状態にあるテレビ１００動作状態に移行させる。
【００４４】
関連情報受信部１２４は、検出部１２２が第１遷移を検出した場合に、スマートフォンで実行中または過去に実行された処理に関連する情報である関連情報をスマートフォンから受信する。
【００４５】
実行制御部１２６は、関連情報受信部１２４が受信した関連情報に従って、スマートフォンで実行中または過去に実行された処理を継続するための処理をテレビ１００で実行する。例えば、ユーザがスマートフォンでテレビ番組を視聴していた場合には、実行制御部１２６は、映像音声処理部１１０に、ユーザが視聴していたのと同じチャンネルのテレビ番組の映像信号および音声信号をデコードさせる。
【００４６】
図４は、本発明の実施の形態に係るスマートフォン２００の外観図である。図５は、本発明の実施の形態に係るスマートフォン２００の構成を示すブロック図である。
【００４７】
スマートフォン２００は、通信Ｉ／Ｆ部２０２と、ＣＰＵ２０４と、記憶部２０６と、映像音声処理部２０８と、ディスプレイ２１０と、スピーカ２１２とを備える。
【００４８】
通信Ｉ／Ｆ部２０２は、外部の装置と有線または無線で通信するための処理部であり、例えば、Ｗｉ−Ｆｉ（登録商標）アダプタなどにより構成される。例えば、通信Ｉ／Ｆ部２０２は、Ｗｉ−Ｆｉ  Ｄｉｒｅｃｔ（登録商標）に従った無線通信により、テレビ１００と接続され、テレビ１００と通信を行う。Ｗｉ−Ｆｉ  Ｄｉｒｅｃｔ（登録商標）に従った無線通信を行うことにより、テレビ１００とスマートフォン２００とはアクセスポイントを介することなく、無線通信を行うことができる。なお、通信Ｉ／Ｆ部２０２は、テレビ１００のＩＰ（Ｉｎｔｅｒｎｅｔ  Ｐｒｏｔｏｃｏｌ）アドレスを記憶しており、記憶しているＩＰアドレスの機器（テレビ１００）に、一定時間間隔で無線接続を試みるものとする。
【００４９】
ＣＰＵ２０４は、スマートフォン２００の全体的な制御を行う。例えば、ＣＰＵ２０４は、映像音声処理部２０８の制御を行う。ＣＰＵ２０４の詳細な構成については、後述する。
【００５０】
記憶部２０６は、写真、動画、音楽などの各種コンテンツを記憶する記憶装置であり、例えば、フラッシュメモリなどにより構成される。
【００５１】
映像音声処理部２０８は、チューナが受信したテレビ放送波に含まれる映像信号および音声信号をデコードして、ディスプレイ２１０およびスピーカ２１２にそれぞれ出力する。また、映像音声処理部２０８は、記憶部２０６に記憶されているコンテンツを、ＣＰＵ２０４を介して取得し、ディスプレイ２１０またはスピーカ２１２に出力する。さらに、映像音声処理部２０８は、ＣＰＵ２０４において実行された各種処理の結果をディスプレイ２１０またはスピーカ２１２に出力する。
【００５２】
図６は、テレビ１００およびスマートフォン２００の実行する処理のフローチャートである。図６（ａ）は、テレビ１００の実行する処理のフローチャートであり、図６（ｂ）は、スマートフォン２００の実行する処理のフローチャートである。なお、図６（ａ）に示す処理は、テレビ１００が待機状態または動作状態にある場合に実行され、テレビ１００が停止状態にある場合には実行されない。
【００５３】
図６（ａ）を参照して、検出部１２２は、通信Ｉ／Ｆ部１０２におけるスマートフォン２００の接続状態に遷移があったか否かを判断する（Ｓ２）。例えば、検出部１２２は、テレビ１００（通信Ｉ／Ｆ部１０２）に無線接続されていたスマートフォン２００がテレビ１００から遠ざかることにより、テレビ１００とスマートフォン２００との無線接続が確立されている状態から確立されていない状態に遷移した場合に、通信Ｉ／Ｆ部１０２におけるスマートフォン２００の接続状態に遷移があったと判断する。また、検出部１２２は、テレビ１００に無線接続されていなかったスマートフォン２００がテレビ１００に近付くことにより、テレビ１００とスマートフォン２００との無線接続が確立されていない状態から確立されている状態に遷移した場合に、通信Ｉ／Ｆ部１０２におけるスマートフォン２００の接続状態に遷移があったと判断する。
【００５４】
通信Ｉ／Ｆ部１０２におけるスマートフォン２００の接続状態に遷移があったと判断された場合には（Ｓ２でＹＥＳ）、検出部１２２は、接続状態の遷移があったスマートフォン２００が記憶部１０８に登録されたスマートフォン２００であるか否かを判断する（Ｓ４）。例えば、図３に示すＭＡＣアドレスが記憶部１０８に記憶されており、接続状態の遷移があったスマートフォン２００のＭＡＣアドレスが「ＡＡ−ＢＢ−ＣＣ−ＤＤ−ＥＥ−ＦＦ」の場合には、接続状態の遷移があったスマートフォン２００が記憶部１０８に登録されたスマートフォン２００であると判断される。
【００５５】
接続状態の遷移があったスマートフォン２００が記憶部１０８に登録されたスマートフォン２００である場合には（Ｓ４でＹＥＳ）、通信Ｉ／Ｆ部１０２は、その遷移が、無線接続が確立されている状態から確立されていない状態への遷移、および無線接続が確立されていない状態から確立されている状態への遷移のいずれであるかを判断する（Ｓ６）。
【００５６】
無線接続が確立されている状態から確立されていない状態への遷移であると判断された場合には（Ｓ６で（Ａ））、図７（ａ）に示すように、スマートフォン２００を携帯してテレビ１００を見ていたユーザ３００が、図７（ｂ）に示すように、テレビ１００から離れたと考えられる。このため、状態管理部１２８は、テレビ１００が動作状態にあれば（Ｓ８でＹＥＳ）、電源部１０６に指示コマンドを出力し、テレビ１００を動作状態から待機状態に移行させる（Ｓ１０）。
【００５７】
無線接続が確立されていない状態から確立されている状態への遷移であると判断された場合には（Ｓ６で（Ｂ））、図８（ａ）に示すように、スマートフォン２００を携帯してテレビ１００から遠ざかった位置にいたユーザ３００が、テレビ１００の近くに来たと考えられる。このため、状態管理部１２８は、テレビ１００が待機状態にあれば（Ｓ１２でＹＥＳ）、電源部１０６に指示コマンドを出力し、テレビ１００を待機状態から動作状態に移行させる（Ｓ１４）。
【００５８】
その後、ＣＰＵ１０４は、スマートフォン２００で実行中または過去に実行されていた処理を継続するための処理を実行する（Ｓ１６）。一方、図６（ｂ）を参照して、スマートフォン２００は、スマートフォン２００で実行中または過去に実行されていた処理をテレビ１００に通知するための処理を実行する（図６（ｂ）のＳ３０）。
【００５９】
つまり、関連情報受信部１２４は、スマートフォン２００で実行中または過去に実行された処理に関連する情報である関連情報の送信要求を、通信Ｉ／Ｆ部１０２を介してスマートフォン２００に送信する（Ｓ１８）。
【００６０】
スマートフォン２００の関連情報送信部２２２は、通信Ｉ／Ｆ部２０２を介してテレビ１００から送信要求を受信し（Ｓ３２）、受信した送信要求に応答して、関連情報をテレビ１００に送信する（Ｓ３４）。関連情報の具体例については、後述する。
【００６１】
関連情報受信部１２４は、通信Ｉ／Ｆ部１０２を介して、スマートフォン２００から関連情報を受信し（Ｓ２０）、実行制御部１２６は、受信した関連情報に従って、スマートフォン２００で実行中または過去に実行された処理を継続するための処理を実行する（Ｓ２２）。このとき、実行制御部１２６は、必要に応じ、通信Ｉ／Ｆ部１０２および通信Ｉ／Ｆ部２０２を介して、実行制御部２２４との間で通信を行う。
【００６２】
実行制御部２２４は、実行制御部１２６と連携を取りながら、関連情報に応じた処理を実行する（Ｓ３６）。
【００６３】
次に、図９と図１０とを参照して、スマートフォン２００で実行中または過去に実行されていた処理を継続するための処理（図６（ａ）のＳ１６）と、スマートフォン２００で実行中または過去に実行されていた処理をテレビ１００に通知するための処理（図６（ｂ）のＳ３０）とについてそれぞれ詳細に説明する。
【００６４】
図９を参照して、関連情報受信部１２４は、スマートフォン２００で実行中または過去に実行された処理に関連する情報である関連情報の送信要求を、通信Ｉ／Ｆ部１０２を介してスマートフォン２００に送信する（Ｓ１８）。
【００６５】
関連情報受信部１２４は、テレビ１００が対応しているウェブサービスの情報を、通信Ｉ／Ｆ部１０２を介してスマートフォン２００に送信する（Ｓ１０１）。例えば、テレビ１００が、ＹｏｕＴｕｂｅ（登録商標）またはＨｕｌｕ（登録商標）などの動画配信を行うウェブサービスに対応している場合には、これらの動画配信サービスに対応していることを示す情報をスマートフォン２００に送信する。
【００６６】
図１０を参照して、スマートフォン２００の関連情報送信部２２２が、送信要求とテレビ１００が対応しているウェブサービスの情報とを受信すると（Ｓ２０１でＹＥＳ）、関連情報送信部２２２は、スマートフォン２００が現在実行中または過去に実行された処理を特定する（Ｓ２０２〜Ｓ２１２）。
【００６７】
スマートフォン２００がテレビ放送波を受信している場合には（Ｓ２０２でＹＥＳ）、関連情報送信部２２２は、現在受信中のテレビ放送波のチャンネルの情報を、関連情報として通信Ｉ／Ｆ部２０２を介してテレビ１００に送信する（Ｓ２０３）。図１１は、関連情報のフォーマット例を示す図である。関連情報９００は、データ［ＴＶ］、データ［Ｃｈａｎｎｎｅｌ］、データ［ＮｅｔＡＰＰ］、データ［Ｓｅｒｖｉｃｅ］、データ［Ｐｏｓｉｔｉｏｎ］、データ［Ｄｅｖｉｃｅ＿Ｉｎｔｅｒｎｅｔ］、データ［Ｍｉｒｒｏｒｉｎｇ］、データ［Ｗａｔｃｈ］、データ［Ｒｅｃｏｒｄ］、およびデータ［Ｐｒｏｇｒａｍ］の組により構成される。例えば、関連情報送信部２２２は、テレビ放送波を受信しているか否かを示すデータ［ＴＶ］に、テレビ放送波を受信していることを示す「１」を設定する。また、関連情報送信部２２２は、データ［Ｃｈａｎｎｅｌ］に、受信中のチャンネルを設定する。その上で、関連情報送信部２２２は、関連情報９００をテレビ１００に送信する。
【００６８】
図９を参照して、テレビ１００の関連情報受信部１２４は、スマートフォン２００から関連情報を受信し（Ｓ１０２でＹＥＳ）、実行制御部１２６は、受信した関連情報の種類を判断する（Ｓ１０３〜Ｓ１１１）。
【００６９】
関連情報９００のデータ［ＴＶ］が１の場合には（Ｓ１０３でＹＥＳ）、実行制御部１２６は、関連情報９００のデータ［Ｃｈａｎｎｅｌ］に示されるチャンネルのテレビ放送波を受信する（Ｓ１０４）。つまり、実行制御部１２６は、映像音声処理部１１０に、そのチャンネルのテレビ放送波をチューナから受信させ、受信したテレビ放送波に含まれる映像信号および音声信号をデコードして、ディスプレイ１１２およびスピーカ１１４にそれぞれ出力させる。
【００７０】
例えば、図８（ａ）に示すように、３チャンネルのテレビ放送波を受信中のスマートフォン２００を携帯したユーザ３００が、図８（ｂ）に示すように、テレビ１００に近付く。すると、テレビ１００が動作状態に移行し、テレビ１００が、スマートフォン２００が受信していたのと同じ３チャンネルのテレビ放送波を受信する。これにより、ユーザ３００は、スマートフォン２００で見ていたテレビ放送を、引き続きテレビ１００で視聴することができる。
【００７１】
図１０を参照して、ユーザ３００が、スマートフォン２００において、テレビ１００が対応可能なウェブサービスを利用している場合には（Ｓ２０４でＹＥＳ）、関連情報送信部２２２は、現在利用中のウェブサービスを特定するための情報を、関連情報として通信Ｉ／Ｆ部２０２を介してテレビ１００に送信する（Ｓ２０５）。例えば、ユーザ３００がスマートフォン２００を操作して、ＹｏｕＴｕｂｅ（登録商標）に接続し、コンテンツを再生している場合には、関連情報送信部２２２は、関連情報９００のデータ［ＮｅｔＡＰＰ］にウェブサービスを利用していることを示す「１」を設定する。また、関連情報送信部２２２は、データ［Ｓｅｒｖｉｃｅ］に、利用中のウェブサービスであるＹｏｕＴｕｂｅ（登録商標）の識別子を書き込む。さらに、関連情報送信部２２２は、データ［Ｐｏｓｉｔｉｏｎ］に、利用中のウェブサービスのサービス開始位置の情報を書き込む。例えば、関連情報送信部２２２は、ＹｏｕＴｕｂｅ（登録商標）で再生中のコンテンツのＵＲＬ（Ｕｎｉｆｏｒｍ  Ｒｅｓｏｕｒｃｅ  Ｌｏｃａｔｏｒ）およびコンテンツの現在の再生位置を、データ［Ｐｏｓｉｔｉｏｎ］に書き込む。その上で、関連情報送信部２２２は、関連情報９００をテレビ１００に送信する。
【００７２】
図９を参照して、スマートフォン２００から受信した関連情報９００のデータ［ＮｅｔＡＰＰ］が１の場合には（Ｓ１０４でＹＥＳ）、実行制御部１２６は、データ［Ｓｅｒｖｉｃｅ］に示されるウェブサービスを、データ［Ｐｏｓｉｔｉｏｎ］に示されるサービス開始位置から開始する（Ｓ１０６）。例えば、上記例の場合には、実行制御部１２６は、通信Ｉ／Ｆ部１０２を介して、ＹｏｕＴｕｂｅ（登録商標）のウェブサイトに接続し、そのウェブサイトに、ＹｏｕＴｕｂｅ（登録商標）で再生中のコンテンツのＵＲＬおよびコンテンツの再生位置の情報を送信する。これにより、実行制御部１２６は、その再生位置からＵＲＬで示されるコンテンツを再生することができる。
【００７３】
図１０を参照して、スマートフォン２００が記憶部２０６に記憶されているコンテンツを再生している場合には（Ｓ２０６でＹＥＳ）、関連情報送信部２２２は、スマートフォン２００で再生中のコンテンツを特定するための情報を、関連情報として、通信Ｉ／Ｆ部２０２を介してテレビ１００に送信する（Ｓ２０７）。例えば、ユーザ３００が記憶部２０６に記憶されている動画コンテンツを再生している場合には、関連情報送信部２２２は、関連情報９００のデータ［Ｄｅｖｉｃｅ＿Ｉｎｔｅｒｎｅｔ］にコンテンツを利用していることを示す「１」を設定する。その上で、関連情報送信部２２２は、関連情報９００をテレビ１００に送信する。
【００７４】
実行制御部２２４は、ＤＬＮＡ（Ｄｉｇｉｔａｌ  Ｌｉｖｉｎｇ  Ｎｅｔｗｏｒｋ  Ａｌｌｉａｎｃｅ）のＤＭＣ（Ｄｉｇｉｔａｌ  Ｍｅｄｉａ  Ｃｏｎｔｒｏｌｌｅｒ）モードに遷移する（Ｓ２０８）。
【００７５】
図９を参照して、スマートフォン２００から受信した関連情報９００のデータ［Ｄｅｖｉｃｅ＿Ｉｎｔｅｒｎｅｔ］が１の場合には（Ｓ１０７でＹＥＳ）、実行制御部１２６は、ＤＬＮＡのＤＭＲ（Ｄｉｇｉｔａｌ  Ｍｅｄｉａ  Ｒｅｎｄｅｒｅｒ）受信状態に遷移する（Ｓ１０８）。
【００７６】
これにより、ユーザ３００は、スマートフォン２００を操作することで、スマートフォン２００の記憶部２０６に記憶されているコンテンツをテレビ１００の映像音声処理部１１０で再生させることができる。
【００７７】
図１０を参照して、スマートフォン２００がウェブブラウザまたは電子メールクライアントを実行している場合には（Ｓ２０９でＹＥＳ）、関連情報送信部２２２は、ウェブブラウザまたは電子メールクライアントを実行中であることを示す情報を、関連情報として、通信Ｉ／Ｆ部２０２を介してテレビ１００に送信する（Ｓ２１０）。つまり、関連情報送信部２２２は、関連情報９００のデータ［Ｍｉｒｒｏｒｉｎｇ］に、ウェブブラウザまたは電子メールクライアントを実行中であることを示す「１」を設定する。その上で、関連情報送信部２２２は、関連情報９００をテレビ１００に送信する。
【００７８】
実行制御部２２４は、Ｗｉ−Ｆｉ  Ｄｉｒｅｃｔ（登録商標）を利用した、Ｍｉｒａｃａｓｔモードに遷移する（Ｓ２１１）。
【００７９】
図９を参照して、スマートフォン２００から受信した関連情報９００のデータ［Ｍｉｒｒｏｒｉｎｇ］が１の場合には（Ｓ１０９でＹＥＳ）、実行制御部１２６は、Ｗｉ−Ｆｉ  Ｄｉｒｅｃｔ（登録商標）を利用したＭｉｒａｃａｓｔ受信状態に遷移する（Ｓ１１０）。これにより、実行制御部２２４から実行制御部１２６に、ディスプレイ２１０に表示されている画面の情報が送信され、実行制御部１２６が映像音声処理部１１０を操作し、その画面をディスプレイ１１２に表示させる。例えば、図１２に示すように、スマートフォン２００が電子メールクライアントを実行している場合には、電子メールクライアントの画面がテレビ１００のディスプレイ１１２に表示される。これにより、ユーザ３００は、テレビ１００のディスプレイ１１２を見ながら、スマートフォン２００を操作することにより、電子メールの閲覧または作成をすることができる。
【００８０】
図１０を参照して、ユーザ３００がスマートフォン２００を用いて、テレビ番組の視聴予約または録画予約を行った場合には（Ｓ２１２でＹＥＳ）、関連情報送信部２２２は、視聴予約または録画予約された番組を特定するための情報を、関連情報として、通信Ｉ／Ｆ部２０２を介してテレビ１００に送信する（Ｓ２１３）。つまり、ユーザ３００が視聴予約を行った場合には、関連情報送信部２２２は、関連情報９００のデータ［Ｗａｔｃｈ］に視聴予約を行ったことを示す「１」を設定する。また、関連情報送信部２２２は、視聴予約を行ったテレビ番組を特定するための情報を、関連情報９００のデータ［Ｐｒｏｇｒａｍ］に書き込む。例えば、関連情報送信部２２２は、そのテレビ番組のチャンネルと放送日時をデータ［Ｐｒｏｇｒａｍ］に書き込む。ユーザ３００が録画予約を行った場合には、関連情報送信部２２２は、関連情報９００のデータ［Ｒｅｃｏｒｄ］に録画予約を行ったことを示す「１」を設定する。また、関連情報送信部２２２は、録画予約を行ったテレビ番組を特定するための情報を、関連情報９００のデータ［Ｐｒｏｇｒａｍ］に書き込む。例えば、関連情報送信部２２２は、そのテレビ番組のチャンネルと放送日時をデータ［Ｐｒｏｇｒａｍ］に書き込む。
【００８１】
テレビ番組の視聴予約または録画予約は、ＥＰＧ（Ｅｌｅｃｔｒｉｃ  Ｐｒｏｇｒａｍ  Ｇｕｉｄｅ）を利用して行っても良い。例えば、ユーザ３００は、図１３に示すように、スマートフォン２００のタッチパネルに表示されたＥＰＧの中から、テレビ番組（例えば、番組Ｃ）をタッチすることにより視聴予約または録画予約を行う。
【００８２】
図９を参照して、スマートフォン２００から受信した関連情報９００のデータ［Ｗａｔｃｈ］またはデータ［Ｒｅｃｏｒｄ］が１の場合には（Ｓ１１１でＹＥＳ）、実行制御部１２６は、テレビ番組の視聴予約または録画予約を実行する（Ｓ１１２）。つまり、データ［Ｗａｔｃｈ］が１の場合には、実行制御部１２６は、データ［Ｐｒｏｇｒａｍ］に示されるテレビ番号の視聴予約を行う。また、データ［Ｒｅｃｏｒｄ］が１の場合には、実行制御部１２６は、データ［Ｐｒｏｇｒａｍ］に示されるテレビ番号の録画予約を行う。なお、実行制御部１２６が録画機能を備えていない場合には、実行制御部１２６は、テレビ１００に接続されたレコーダを操作して、テレビ番組の録画予約を行うようにしても良い。例えば、図１４に示すように、テレビ１００の実行制御部１２６は、テレビ１００に接続されたレコーダ４００に、録画対象のテレビ番組を特定するための情報と、録画予約の指示信号とを送信することにより、レコーダ４００にテレビ番組の録画予約をさせる。
【００８３】
以上説明したように、本実施の形態によると、スマートフォン２００に代表される携帯端末を持ったユーザが、テレビ１００に代表される再生装置に近付くことで再生装置と携帯端末との無線接続が確立されると、再生装置の電源がオンするなどして、再生装置が動作状態に移行する。また、実行制御部１２６は、上記関連情報を携帯端末から受信し、携帯端末で実行中または実行された処理を継続するための処理を実行する。このため、ユーザが携帯端末で行っていた処理を、迅速に開始することができる。
【００８４】
つまり、ユーザは、携帯端末で再生中のテレビ放送と同じテレビ放送を引き続き再生装置で視聴することができる。
【００８５】
また、ユーザは、携帯端末で利用中のウェブサービスと同じウェブサービスを再生装置において引き続き利用することができる。例えば、インターネット上にアップロードされた動画コンテンツを提供するウェブサービスを、再生装置において引き続き利用することができる。これにより、携帯端末で動画コンテンツを再生している途中であったとしても、ユーザは、その続きから動画コンテンツを視聴することができる。
【００８６】
また、ユーザは、携帯端末で視聴していたコンテンツを、引き続き再生装置で視聴することができる。
【００８７】
また、ユーザが、携帯端末を利用して閲覧または作成していた電子メールの画面が再生装置に表示される。このため、ユーザは、再生装置の画面を見ながら、携帯端末を引き続き操作して、電子メールの閲覧または作成を行うことができる。
【００８８】
また、ユーザが外出先などで携帯端末を利用して視聴予約または録画予約を行った番組の情報を、ユーザの帰宅と共に再生装置に送信することができる。このため、ユーザが行った使用予約または録画予約を再生装置に引き継ぐことができる。また、ユーザが外出先で行った録画予約などが自動で反映されるため、録画のし忘れなどを防ぐことができる。
【００８９】
また、携帯端末を持ったユーザが再生装置から遠ざかった場合に再生装置が待機状態に遷移する。このため、再生装置の電源の消し忘れを防ぐことができる。
【００９０】
また、表示装置がアクセスポイントに接続されていなくても、Ｗｉ−Ｆｉ  Ｄｉｒｅｃｔ（登録商標）などの無線通信技術を利用して、容易に携帯端末から再生装置へ処理の引き継ぎを行うことができる。
【００９１】
以上、本発明の実施の形態について説明したが、本発明は、この実施の形態に限定されるものではない。
【００９２】
例えば、上述の実施の形態では、記憶部１０８にＭＡＣアドレスが登録されたスマートフォン２００を持ったユーザ３００がテレビ１００から離れると、テレビ１００が動作状態から待機状態に移行する。しかし、他のユーザがテレビ１００でテレビ番組を視聴していた場合には、テレビ１００が待機状態に移行すると、上記他のユーザがテレビ番組を視聴することができないという問題が生じる。このため、記憶部１０８にＭＡＣアドレスが登録されている全てのスマートフォン２００が、テレビ１００と無線接続されなくなった場合にのみ、状態管理部１２８は、テレビ１００を動作状態から待機状態に移行させるようにしても良い。例えば、図１５（ａ）に示すように、記憶部１０８にＭＡＣアドレスが登録されたスマートフォン２００Ａおよびスマートフォン２００Ｂをそれぞれ持ったユーザ３００Ａおよびユーザ３００Ｂが、テレビ１００でテレビ番組を視聴している。図１５（ｂ）に示すように、ユーザ３００Ｂがテレビ１００から離れたとしても、ユーザ３００Ａのスマートフォン２００Ａとテレビ１００とが無線接続されている。このため、状態管理部１２８は、テレビ１００を動作状態のまま維持させる。図１５（ｃ）に示すように、さらに、ユーザ３００Ａがテレビ１００から離れた場合には、ＭＡＣアドレスが登録されているスマートフォン２００は、テレビ１００と無線接続されていない。このため、状態管理部１２８は、テレビ１００を動作状態から待機状態に移行させる。これにより、複数のユーザがテレビ１００を視聴しているときに、そのうちの一人がテレビ１００から遠ざかったとしても、テレビ１００の電源が誤ってオフするのを防ぐことができる。
【００９３】
また、上述の実施の形態では、再生装置の具体例としてテレビ１００を示したが、再生装置は、テレビ番組を再生または録画するレコーダまたは、テレビ放送波を受信するセットトップボックスなどであってもよい。
【００９４】
また、上述の実施の形態では、テレビ１００とスマートフォン２００との間の無線通信規格をＷｉ−Ｆｉ  Ｄｉｒｅｃｔ（登録商標）としたが、直接、機器間で無線通信できる規格であれば、それ以外の無線通信規格を用いても良い。例えば、Ｂｌｕｅｔｏｏｔｈ（登録商標）などの無線通信規格を用いてテレビ１００とスマートフォン２００とが無線通信を行っても良い。
【００９５】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００９６】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【００９７】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【００９８】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【００９９】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしても良い。また、これらの非一時的な記録媒体に記録されている上記デジタル信号であるとしても良い。
【０１００】
また、本発明は、上記コンピュータプログラムまたは上記デジタル信号を、電気通信回線、無線または有線通信回線、インターネットを代表とするネットワーク、データ放送等を経由して伝送するものとしても良い。
【０１０１】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１０２】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１０３】
本発明に係る再生装置の必須の構成要素は、図２に示したテレビ１００の構成のうち、検出部１２２と、関連情報受信部１２４と、実行制御部１２６と、状態管理部１２８とである。それ以外の構成要素については、再生装置に備えられているのが望ましいが必ずしも備えられていなくても良い。
【産業上の利用可能性】
【０１０４】
本発明は、再生装置として、例えば、テレビ放送を再生または録画する、テレビまたはレコーダなどに適用できる。
【符号の説明】
【０１０５】
１００  テレビ
１０２、２０２  通信Ｉ／Ｆ部
１０４、２０４  ＣＰＵ
１０６  電源部
１０８、２０６  記憶部
１１０  映像音声処理部
１１２、２１０  ディスプレイ
１１４、２１２  スピーカ
１２２  検出部
１２４  関連情報受信部
１２６、２２４  実行制御部
１２８  状態管理部
１５０  インターネット
２００、２００Ａ、２００Ｂ  スマートフォン
２０８  映像音声処理部
２２２  関連情報送信部
３００、３００Ａ、３００Ｂ  ユーザ
４００  レコーダ
９００  関連情報
【図１】
2014123918.tif 000003
【図２】
2014123918.tif 000004
【図３】
2014123918.tif 000005
【図４】
2014123918.tif 000006
【図５】
2014123918.tif 000007
【図６】
2014123918.tif 000008
【図７】
2014123918.tif 000009
【図８】
2014123918.tif 000010
【図９】
2014123918.tif 000011
【図１０】
2014123918.tif 000012
【図１１】
2014123918.tif 000013
【図１２】
2014123918.tif 000014
【図１３】
2014123918.tif 000015
【図１４】
2014123918.tif 000016
【図１５】
2014123918.tif 000017